(57)【要約】本発明は統合された光学的構造体に関し、この構造体は自由な光伝播領域を区画している光学的カップリング要素（６）を備えた少なくとも１個の層、少なくとも１個のインプット光学的ウエーブガイド（５）および光学的ウエーブガイド（７）のネットワーク（８）を包含し、これらが互いに関連するように配置されて上記インプット光学的ウエーブガイドのアウトプット端部手段から放出された光波が上記光学的カップリング要素を介して、ネットワークを形成している光学的ウエーブガイドのインプット端部に達するように構成されている。インプット光学的ウエーブガイドの上述のアウトプット端部から間隔を隔てて配置されかつ前部を占める区域内で、光学的カップリング要素（６）は光学的移送または変形手段（２３）を包含し、この手段はインプット光学的ウエーブガイド（５）のアウトプットからくる光波が上記ネットワーク（８）の光学的ウエーブガイド（７）の上述のインプットに達する前に、光波の幅を減しおよび／または位相を修正しおよび／または伝播を部分的に停止させるために使用される。
2004522208.tif 000002
【特許請求の範囲】
【請求項１】
統合された光学的構造体であって、光のための自由伝播領域を区画している光学的カップリング要素（６）を備えた少なくとも一つの層、少なくとも１個のインプット光学的ウエーブガイド（５）およびネットワーク（８）が形成されている光学的ウエーブガイド（７）を包含しており、これらが上記インプット光学的ウエーブガイドのアウトプット端部を介して離れた光波が上記光学的カップリング要素を通して上記ネットワークを構成している光学的ウエーブガイドのインプット端部に達するように互いに配置されている構造体において、上記光学的カップリング要素（６）が、上記インプット光学的ウエーブガイドの前記アウトプット端部から一定距離を隔てて配置されかつ横に交差して配置されるように、インプット光学的ウエーブガイド（５）のアウトプットから流出している光波の大きさを減しおよび／または位相を修正しおよび／または伝播を停止するための光学的移送または変形手段（２３）を上記ウエーブが上記ネットワーク（８）の光学的ウエーブガイド（７）の前記インプットに達する前に備えていることを特徴としている、光学的構造体。
【請求項２】
光学的信号チャンネルの統合された波長多重送信／非多重送信構造体であって、それらの連続した公称波長を区画している距離が好ましくはセット値および／またはこのセット値の複数であるように構成されている構造体であって、少なくとも一つの層、少なくとも１個のインプット光学的ウエーブガイド、アウトプット光学的ウエーブガイド、異なる長さを有する中間ウエーブガイド（７）のネットワーク（８）、自由伝播領域を区画するインプット光学的カップリング要素（６）であってこの自由伝播領域がインプット光学的ウエーブガイドのアウトプット端部および上記ネットワークの光学的ウエーブガイドのインプット端部の間に延びていてインプット光学的ウエーブガイドから流出する光波が上記ネットワークの中間光学的ウエーブガイドのインプットへ上記光学的カップリング要素を通して達するカップリング要素、およびアウトプットカップリング要素（９）であって上記ネットワークの中間光学的ウエーブガイドのアウトプット端部およびアウトプットウエーブガイドのインプット端部の間に延びていて上記ネットワークの中間光学的ウエーブガイドのアウトプットから流出する光波がアウトプット光学的ウエーブガイドのインプットに上記光学的カップリング要素を通して達するカップリング要素を包含している光学的構造体において、上記インプット光学的カップリング要素（６）が、上記インプット光学的ウエーブガイドの前記アウトプット端部から一定距離を隔てて配置されかつ横方向に交差して配置されるように、インプット光学的ウエーブガイドから流出している光波の大きさを減しおよび／または位相を修正しおよび／または伝播を停止するための移送または変形手段（２３）を上記ウエーブが上記ネットワークの光学的ウエーブガイドの前記インプットに達する前に備えていてアウトプット光学的ウエーブガイドの対応するインプットに達する光波の強度が、対応する公称波長からの偏倚関数としてプロットすると、平坦な頂部または方形頂部付きのベル形とされていることを特徴としている、光学的構造体。
【請求項３】
上記移送または変形手段（２３）が障害物（２４、２５）を包含し、この障害物がインプット光学的ガイドのアウトプットから流出する光の伝播を少なくとも部分的に阻止しかつ上記障害物との間に光通過のためのスペース（２６）を区画し、好ましくはインプットウエーブガイド（５）のアウトプットから横断配置されていることを特徴としている、前記請求項の何れかの光学的構造体。
【請求項４】
上記障害物（２３）がキャビテイー部分または間隔を隔てたスロット（２４、２５）を包含していることを特徴としている、前記請求項の何れかの光学的構造体。
【請求項５】
開放角度の頂点が上記インプットウエーブガイドのアウトプット上に配置されており、かつこの角度の両側部は上記移送または変形手段の上記部分を分離する上記スペース（２６）に対して接線方向である角度は、０．５および２５度の間であることを特徴としている、前記請求項の何れかの光学的構造体。
【請求項６】
上記移送または変形手段（２３）がイメージ面上に配置されており、このイメージ面はアウトプット光学的ウエーブガイドのインプットを包含し、インプット光学的システムを通し、このシステムは上記移送または変形手段および上記ネットワーク（８）およびアウトプット光学的カップリング要素（９）からなる光学的ウエーブガイド（７）のインプットの間を延びるインプット光学的カップリング要素（６）のその部分から構成されていることを特徴としている、前記請求項の何れかの光学的構造体。
【請求項７】
統合された光学的構造体であって、光のための自由伝播領域を区画している光学的カップリング要素（６）を備えた少なくとも一つの層、少なくとも１個のインプット光学的ウエーブガイド（５）および光学的ウエーブガイド（７）を包含してネットワーク（８）が形成されており、これらが上記インプット光学的ウエーブガイドを介して離れた光波が上記光学的カップリング要素を通して上記ネットワークを構成している光学的ウエーブガイドのインプット端部に達するように互いに配置されている構造体において、上記光学的カップリング要素（６）が、上記インプット光学的ウエーブガイドの前記アウトプット端部から一定距離を隔てて配置されかつ横方向に交差して、障害物（２４、２５）を包含してインプット光学的ウエーブガイドのアウトプットから流出している光の伝播を上記光が上記ネットワークの光学的ウエーブガイドの前記インプットに達する前に少なくとも部分的に阻止し、かつそれらの間に上記ネットワークの光学的ウエーブガイドの前記インプットへの光の通過のためのスペースを区画していることを特徴としている、光学的構造体。
【請求項８】
上記障害物（２３）がインプットウエーブガイドからの光のアウトプットの主方向に対して略直角な面内に形成されている細長いスロット（２４、２５）から構成されていることを特徴とする、請求項７内に記載の光学的構造体。
【請求項９】
スロット（２４、２５）が少なくともウエーブガイド（５、６）の厚さを越えて延びていることを特徴とする、請求項８内に記載の光学的構造体。
【請求項１０】
上記障害物（２３）がイメージ面上に配置されており、このイメージ面はアウトプット光学的ウエーブガイドのインプットを包含し、インプット光学的システムを通し、このシステムは光学的カップリング要素の一部を構成し、光学的カップリング要素は上記移送または変形手段および光学的ウエーブガイドのインプットの間を延び、光学的ウエーブガイドが上記ネットワークおよびアウトプット光学的カップリング要素から構成されていることを特徴としている、請求項７ないし９の何れかに記載の光学的構造体。
【請求項１１】
上記光学的ウエーブガイドの伝導コアーを層（３、４）内に埋め込み、かつ上記障害物をこの層の厚さ内に製造する工程からなることを特徴とする、請求項７ないし１０内に記載の光学的構造体の製造のための方法。
【発明の詳細な説明】
【技術分野】
【０００１】
本発明は統合された光学的構造体、特に光波の多重送信／非多重送信のためのものに関し、かつそれの製造のための方法に関する。
【背景技術】
【０００２】
統合された多重送信／非多重送信用の光学的構造体は一般に、構造体の層内にかつ以下の順序で、インプット光学的マイクロガイド、インプット光学的カップリング要素、分散要素を構成するように異なる長さを有する中間光学的マイクロガイドのネットワーク、アウトプット光学的カップリング要素およびアウトプットマイクロガイドを包含している。
【０００３】
簡単な用語ではそのような構造体は以下のように作動する。
【０００４】
インプット光学的マイクロガイドを経てかつ異なる波長の移送または収容の光学的シグナルチャンネルを経て到達する光波は自由スペース内でまたはインプットカップリング要素内の自由伝播により分散し、かつネットワークの中間光学的マイクロガイドのインプットを照射する。
【０００５】
ネットワークの各中間光学的マイクロガイドはインプット光学的マイクロガイドから放射されている光波からサンプルを取る。これらのサンプルがネットワークの中間光学的マイクロガイドのアウトプットに達すると、それらの間に波長依存位相相違が生ずる。
【０００６】
次に、ネットワークの中間光学的マイクロガイドを離れた光波サンプルはアウトプット光学的カップリング要素内で分散しかつアウトプット光学的マイクロガイドのインプットを照射する。
【０００７】
上述の光学的構造体はダブルフーリエ変換による移送関数を作るように設計されてアウトプット光学的マイクロガイドにより取り出された光波がインプット光学的ウエーブ内に移送されまたは保持された対応する光学的シグナルチャンネルを移送または保持する。
【０００８】
そのような構造体は特に文献  ＥＰ−Ａ−３０１  １９４、ＥＰ−Ａ−９３６  ４８２およびＷＯ−Ａ−１３３２７０内に記述されている。
【０００９】
より詳細には、文献ＥＰ−Ａ−９３６  ４８２には統合された一つの光学的構造体が記述されており、その中では、２個の光学的マイクロガイドを交互に備えており、これらの光学的マイクロガイドは自由伝播付きの中間光学的カップリング要素を介して接続されている。この配置はろ過の獲得を可能として、各アウトプット光学的マイクロガイド内で、光波の強度を表示するガウス曲線がその頂部で平坦化される。
【００１０】
更に、文献ＥＰ−Ａ−９３６  ４８２内では、前述の２個のネットワークをつなぐ前述の中間光学的カップリング要素内に、細長いスロットを作ることを提案しており、これらのスロットはＶ形を形成するように延び、その開口は第１ネットワークの光学的マイクロガイドのアウトプットへ向いてこれらのスロットに面している面が光学的ロスを制限するための鏡または変流器を構成するがこの中間光学的カップリング要素内でばらまかれる光波の特徴の変更を伴わないようにされている。
【発明の開示】
【発明が解決しようとする課題】
【００１１】
本発明の目的は統合された光学的器具の改良にあり、特に高性能の光波の多重送信／非多重送信の達成を目的としている。
【００１２】
本発明の主題は第１に、統合された光学的構造体であって、光のための自由伝播領域を区画している光学的カップリング要素を備えた少なくとも一つの層、少なくとも１個のインプット光学的ウエーブガイドおよびネットワークを形成している光学的ウエーブガイドが形成されており、これらが上記インプット光学的ウエーブガイドのアウトプット端部を介して離れた光波が上記光学的カップリング要素を通して上記ネットワークを構成している光学的ウエーブガイドのインプット端部に達するように互いに配置されている。
【００１３】
本発明によると、上記光学的カップリング要素が、好ましくは上記インプット光学的ウエーブガイドの前記アウトプット端部から一定距離を隔てて配置されかつ横断交差して配置されるように、インプット光学的ウエーブガイド（５）のアウトプットから流出している光波の大きさを減しおよび／または位相を修正しおよび／または伝播を停止するための光学的移送または変形手段（２３）を上記ウエーブが上記ネットワークの光学的ウエーブガイドの前記インプットに達する前に備えている。
【００１４】
本発明の主題はまた、光学的信号チャンネルの統合された波長多重送信／非多重送信構造体であって、それらの連続した公称波長を区画している距離が好ましくはセット値および／またはこのセット値の複数であるように構成されている。この光学的構造体は、少なくとも一つの層、少なくとも１個のインプット光学的ウエーブガイド、アウトプット光学的ウエーブガイド、異なる長さを有する中間ウエーブガイドのネットワーク、自由伝播領域を区画するインプット光学的カップリング要素（６）であってこの自由伝播領域がインプット光学的ウエーブガイドのアウトプット端部および上記ネットワークの光学的ウエーブガイドのインプット端部の間に延びていてインプット光学的ウエーブガイドから流出する光波が上記ネットワークの中間光学的ウエーブガイドのインプットへ上記光学的カップリング要素を通して達するカップリング要素、およびアウトプットカップリング要素であって上記ネットワークの中間光学的ウエーブガイドのアウロプット端部およびアウトプットウエーブガイドのインプット端部の間に延びていて上記ネットワークの中間光学的ウエーブガイドのアウトプットから流出する光波がアウトプット光学的ウエーブガイドのインプットに上記光学的カップリング要素を通して達するカップリング要素を包含している。
【００１５】
本発明によると、上記インプット光学的カップリング要素が好ましくは、上記インプット光学的ウエーブガイドの前記アウトプット端部から一定距離を隔てて配置されかつ横に交差して配置されるように、インプット光学的ウエーブガイドから流出している光波の大きさを減しおよび／または位相を修正しおよび／または伝播を停止するための移送または変形手段を上記ウエーブが上記ネットワークの光学的ウエーブガイドの前記インプットに達する前に備えている。
【００１６】
このようにして、アウトプット光学的ウエーブガイドの対応するインプットに達する光波の強度が、対応する公称波長からの偏倚関数としてプロットすると、平坦な頂部または方形頂部付きのベル形とされている。
【００１７】
本発明によると、上記移送または変形手段が好ましくは障害物を包含し、この障害物がインプット光学的ガイドのアウトプットから流出する光の伝播を少なくとも部分的に阻止しかつ上記障害物との間に光通過のためのスペースを区画し、好ましくはインプットウエーブガイドのアウトプットから横断配置されている。
【００１８】
本発明によると、上記障害物が好ましくはキャビテイー部分または間隔を隔てたスロットを包含している。
【００１９】
本発明によると、開放角度の頂点が好ましくは上記インプットウエーブガイドのアウトプット上に配置されており、かつこの角度の両側部は好ましくは上記移送または変形手段の上記部分を分離する上記スペースに対して接線方向であり、その角度は、０．５および２５度の間である。
【００２０】
本発明によると、上記移送または変形手段が好ましくはイメージ面上に配置されており、このイメージ面はアウトプット光学的ウエーブガイドのインプットを包含し、インプット光学的システムを通し、このシステムは上記移送または変形手段および上記ネットワークおよびアウトプット光学的カップリング要素からなる光学的ウエーブガイドのインプットの間を延びるインプット光学的カップリング要素のその部分から構成されている。
【００２１】
本発明の主題はまた、統合された光学的構造体であって、光のための自由伝播領域を区画している光学的カップリング要素を備えた少なくとも一つの層、少なくとも１個のインプット光学的ウエーブガイドおよび光学的ウエーブガイドを包含してネットワークが形成されており、これらが上記インプット光学的ウエーブガイドを介して離れた光波が上記光学的カップリング要素を通して上記ネットワークを構成している光学的ウエーブガイドのインプット端部に達するように互いに配置されている。
【００２２】
本発明によると、上記光学的カップリング要素が、上記インプット光学的ウエーブガイドの前記アウトプット端部から一定距離を隔てて配置されかつ横断交差して、障害物を包含してインプット光学的ウエーブガイドのアウトプットから流出している光の伝播を上記光が上記ネットワークの光学的ウエーブガイドの前記インプットに達する前に少なくとも部分的に阻止し、かつそれらの間に上記ネットワークの光学的ウエーブガイドの前記インプットへの光の通過のためのスペースを区画している。
【００２３】
本発明によると、上記障害物が好ましくはインプットウエーブガイドからの光のアウトプットの主方向に対して略直角な面内に形成されている細長いスロットから構成されている。
【００２４】
本発明によると、スロットが少なくともウエーブガイドの厚さを越えて延びている。
【００２５】
本発明によると、上記障害物が好ましくはイメージ面上に配置されており、このイメージ面はアウトプット光学的ウエーブガイドのインプットを包含し、インプット光学的システムを通し、このシステムは光学的カップリング要素の一部を構成し、光学的カップリング要素は上記移送または変形手段および光学的ウエーブガイドのインプットの間を延び、光学的ウエーブガイドが上記ネットワークおよびアウトプット光学的カップリング要素から構成されている。
【００２６】
本発明の主題はまた、好ましくは上記光学的ウエーブガイドの伝導コアーを層内に埋め込み、かつ上記障害物をこの層の厚さ内に製造する工程からなる、前記光学的構造体の製造のための方法である。
【００２７】
本発明は非限定的例として記述されかつ図面により図解されている統合された光学的構造体を学習することによりより明確に理解されるであろう。
【発明を実施するための最良の形態】
【００２８】
図１ないし５内に示されている統合された光学的構造体１はベース層２を包含し、その上に２個の層３および４が沈積されており、それらの間に同一平面上にかつ順次または連続状態となるように、インプット光学的マイクロガイド５のコアー、インプット光学的カップリング要素６、中間ネットワーク８の中間光学的マイクロガイド７のコアー、アウトプット光学的カップリング要素９およびアウトプット光学的マイクロガイド１０のコアーが埋め込まれている。
【００２９】
インプット光学的カップリング要素６はインプット面１１を持ち、そのインプット面に対して略直角にインプットマイクロガイド５が接続され、そのインプットマイクロガイド５はアウトプット端部１２を持ち、要素６は更にアウトプット面１３を持ち、このアウトプット面はインプット面１１に面して配置されかつそのインプット面に対して略直角に中間マイクロガイド７が接続され、この中間マイクロガイド７はインプット端部１４を備えている。
【００３０】
インプット光学的カップリング要素６は更に側面１５および１６を持ち、これらはインプットマイクロガイド５のアウトプット１２と中間マイクロガイド７のインプット１４の間を延びている領域から遠く離れている。
【００３１】
アウトプット光学的カップリング要素９はインプット面１７を持ち、このインプット面に対して略直角に中間マイクロガイド７が接続され、この中間マイクロガイド７はアウトプット端部１８を持ち、要素９は更にインプット面１７に対向配置されたアウトプット面１９を備え、そのアウトプット面に対して略直角にアウトプットマイクロガイド１０が接続され、このアウトプットマイクロガイド１０はインプット面２０を備えている。
【００３２】
アウトプット光学的カップリング要素９は更に側面２１および２２を持ち、これらの側面は中間マイクロガイド７のアウトプット１８とアウトプットマイクロガイド９のインプット２０の間を延びている領域から遠く離れている。
【００３３】
ネットワーク８の中間マイクロガイド７は互いの側部にかつ或る距離を隔てて形成されかつ異なる長さであり、その長さは中央部に配置されたウエーブガイドから外側に配置されたウエーブガイドに対して増加する。
【００３４】
アウトプットマイクロガイド１０は互いの側部にかつ或る距離を隔てて形成され、かつ互いに並行に延びている。
【００３５】
光学的マイクロガイド５、７および１０および光学的カップリング要素６および９は層３および４を構成している材料の屈折率よりも大きい屈折率の材料で作られている。
【００３６】
図示の実施例においては、ベース層２はシリコン基体からなりかつ層３および４はドープ処理されたシリカで作られている。光学的マイクロガイド５、７および１０および光学的カップリング要素６および９はシリコン窒化物のまたはシリコン酸化窒化物のドープされたシリカで作られている。
【００３７】
実際には、層３は支持プレート２上に沈積され、層５ａが沈積されかつエッチングされて光学的マイクロガイド５、７および１０および光学的カップリング要素６および９が製造され、それから層４が沈積される。
【００３８】
表示のために、光学的マイクロガイド５、７および１０は断面が矩形または正方形である。層５ａは約５ミクロンの厚さを備え、前記マイクロガイドおよびカップリング要素の上の層３および４の厚さは約１２ミクロンである。中間マイクロガイド７の横に分離したインプット１４の距離、中間マイクロガイド７の横に分離したアウトプット１８の距離およびアウトプットマイクロガイド９の横に分離したインプット２０の距離はそれらの幅が概ね等しい。
【００３９】
上述から分かる様にインプットマイクロガイド５のアウトプット端部１２から出た光波は、インプット光学的カップリング要素６を通して、ネットワーク８の中間マイクロガイド７のインプット端部１４を照射し得る。このインプット光学的カップリング要素６は光の自由伝播の領域を限定し、その厚さで制限されるが横には束縛されない。
【００４０】
同様に、中間マイクロガイド７のアウトプット端部１８から出た光波は、アウトプット光学的カップリング要素９を通して、アウトプットマイクロガイド１０のインプット端部２０を照射し得る。このアウトプット光学的カップリング要素９は光の自由伝播の領域を限定し、その厚さで制限されるが横には束縛されない。
【００４１】
光学的移送または変形手段２３がインプット光学的カップリング要素６内に作られ、これらの手段はインプットマイクロガイド５のアウトプット端部１２から短距離にかつ横断して配置されている。
【００４２】
これらの手段２３は障害物を構成し、これらの障害物はインプットマイクロガイド５のアウトプット１２から放射される光の通常の伝播を、上記光がネットワーク８の中間マイクロガイド７のインプット１４に達する前に、少なくとも部分的に妨害する。
【００４３】
図２および５内により精密に示されているように、この障害物２３は層３および４の厚さ内にかつ光学的カップリング要素６を横断して作られた２個のスロットまたは細長いキャビテイー部分２４および２５から成る。
【００４４】
これらのスロット２４および２５はインプットマイクロガイド５の主な光の出力方向に対して概ね直角な面内にありかつそれらの間に、インプットマイクロガイドのアウトプット端部に面して、ネットワーク８の中間マイクロガイド７のインプット１４に向かう光の通過のためのスペース２６を区画している。
【００４５】
一般に、通路２６を区画しているスロット２４および２５の対向エッジのために望ましいことは、両エッジは頂点がインプットマイクロガイド５のアウトプット端部１２の中心に位置する角の両側部に対して外側上に外れており、かつその角の値は０．５および２５度の間にある。
【００４６】
更に、障害物２３は好ましくはアウトプット光学的ウエーブガイド１０のインプット２０の目的面上に光学的システムを横断して配置され、上記光学的システムはインプット光学的カップリング要素６のその部分からなり、障害物２３およびネットワーク８の中間マイクロガイド７のインプット１４の間、中間マイクロガイド７およびアウトプット光学的カップリング要素９の間に延びている。
【００４７】
一つの図解的実施例において、マイクロガイド５のアウトプット１２をスロット２４および２５からなる手段２３から分離している距離はこのインプットマイクロガイド５の幅の概ね３倍に等しく、かつスロットの面エッジにより区画されているスペースの幅は概ねインプットマイクロガイド５の幅に等しい。
【００４８】
更に、インプット光学的カップリング要素６のアウトプット面１３は好ましくはスロット２４および２５からなる手段２３の通路２６の中央上に中心を有する円のアーク上に配置される。
【００４９】
統合された光学的構造体１は以下の方法で動作するように設計されている。
【００５０】
光学的信号チャンネルＣ１−Ｃｎを移送または収容するインプット光学的ウエーブがそれらの連続的公称波長を分離している距離が好ましくはセット値および／またはこのセット値の複数個に等しくなるように構成されて、インプットマイクロガイド５内をそのアウトプット端部１２へ伝播すると仮定する。
【００５１】
マイクロガイドの長さは、互いに関連して、２個の隣接マイクロガイド間の長さの差がネットワーク８のマイクロガイド７内で計測された中央波長の整数と等しくなるように構成されている。
【００５２】
この端部１２を越えて、インプット光学的ウエーブはスロット２４および２５からなる障害物へ向かいインプット光学的カップリング要素６内で分散する。
【００５３】
分散した光波はスロット２３および２４間に作られた通路２６を通過するが、この通路２６の両側にあるこれらのスロットにより止められる。
【００５４】
通路２６を通過した光波はネットワーク８の中間マイクロガイド７のインプット１４に向かい分散する。障害物２３はこのようにしてネットワーク８の中間マイクロガイド７のインプット１４に面した補助光源を構成する。
【００５５】
スロット２４および２５からなる手段２３はインプットウエーブを以下の方法で変質させる。
【００５６】
図６内に示されているように、インプットマイクロガイド５を離れかつ光学的カップリング要素６を貫通した光波の強度の空間的分布を表示している曲線は、インプットマイクロガイド５およびスロット２４および２５を分離している通路２６の中央軸２７からの横幅方向の距離の関数としてプロットされると、ガウス曲線２８の形となる。
【００５７】
図６内に示されているように、障害物２３の後では、スロット２６を離れる光波の強度の空間的分布は、中央軸２７からの横幅距離の関数としてプロットすると、平坦頂部または矩形２９付きのベル形である。
【００５８】
図７内に示されているように、矩形より離れた、即ちその分散パターン３０は、基本的なサイン機能である。従って、ネットワーク８へ達した光波の強度を示している曲線は、中央軸２７からの横幅方向の距離の関数としてプロットすると、基本的なサインカーブである。
【００５９】
図８は光波が障害物２３の通路２６を通過するときの光波の変化の位相を表示した曲線を示しており、インプットマイクロガイド５による光波アウトプットの空間的拡散の側部の突然の細化の結果に基づいている。図示の例において、その中では位相は中央軸２７からの横幅方向の距離の関数としてプロットされており、光波がインプットマイクロガイド５を丁度出たときの光波の位相を表示している曲線３１は概ね一定であり、通路２６の直前における光波の位相を表示している曲線３２は湾曲しかつ最大点を備えており、かつ通路２６の直後における光波の位相を表示している曲線３３はシフトされかつ僅かに起伏している。
【００６０】
ネットワーク８の中間マイクロガイド７のインプット１４はそこに達しまたは照射している光波からの対応するサンプルになる。
【００６１】
これらの光波サンプルはネットワーク８の中間マイクロガイド７に沿ってそれらの端部１８まで伝播する。中央波長の場合は、各中間マイクロガイド７内のフィールドはそれらのアウトプット端部１８へ等しい位相で達し、かつネットワーク８のインプット端部における強度の分布はそのアウトプット端部で再生される。
【００６２】
ネットワーク８の端部１８を越えて、サンプルウエーブはアウトプット光学的カップリング要素９内で分散してアウトプットマイクロガイド１０のインプット端部２０に達しまたは照射する。
【００６３】
アウトプットマイクロガイド１０のインプット端部２０はそれらを照射している光波を取り上げる。
【００６４】
対応するアウトプットマイクロガイド８内を伝播している光波はインプットマイクロガイド５により移送されたインプット光学的ウエーブ内に当初移送されまたは保持されているチャンネルを移送または保持している。これは次の事実からの結果であり、その事実とは分散状外観が面１９上のみにおいて明示されており、これが起こるのは波長チャンネルがネットワーク８のマイクロガイド７の長さの直線的増加により分離されているときであり、各波長チャンネルのための異なる位相の移送を起こしている。その結果、光学的ビームは面１９上の各種ポイントへシフトされかつ焦点付けられる。
【００６５】
図９が示しているように、障害物２３の効果の結果として、夫々アウトプットマイクロガイド１０内を伝播される光波の強度の伝導率およびインプットマイクロガイド５から放射される入射強度を示している曲線３４は、対応する公称波長からの偏倚の関数としてプロットすると、平坦頂部付きのベル形である。
【００６６】
一つの図示実施例においては、インプットマイクロガイド５により移送されるチャンネルを限定している光学的波長の公称値はＩＴＵグリッドによることができかつ結果として１．６ナノメーターにより分離されている。この場合には、障害物２３はインプットマイクロガイドのアウトプット端部１２から１９ミクロンの位置に配置されかつスロットは９．５ミクロンだけ分離し得る。
【００６７】
本発明は上記実施例に限定されるものではない。多くの代わりの実施例がここに添付の請求項により限定された範囲から離れることなく可能である。
【００６８】
一つの代わりの実施例においては、構造体１はインプットカップリング要素６の面１１に出る各種の光学的マイクロガイド５を持ち得る。その場合には、２個の隣接したマイクロガイドの間に共通スロットを有する障害物を備え得る。
【００６９】
別の代わりの実施例においては、手段２３がスロット２４および２５からなり、これらのスロットはインプットカップリング要素６を構成している材料の屈折率とは異なる屈折率の材料で満たされており、インプットマイクロガイドのアウトプット端部１２から放射される光の幾らかがネットワーク８の中間マイクロガイド７のインプット１４へ向かい通過するようにされている。上述の例によると、スロット２４および２５を充満する材料は窒化シリコン、酸化窒化シリコンまたはシリコンであり得る。
【００７０】
別の代わりの実施例においては、手段２３はスロット２４および２５に対応する領域のインプット光学的カップリング要素の屈折率を修正することにより製造され、その目的は光波の停止またはその伝播を弱めることである。この修正は材料のドーピングにより得ることができる。
【００７１】
多くの他の代わりの実施例が添付請求項により限定されている範囲から離れることなく可能である。
【図面の簡単な説明】
【００７２】
【図１】本発明による統合された光学的構造体の水平断面を示している。
【図２】図１の光学的構造体の光通路に沿う垂直断面を示している。
【図３】組立て中における図１の光学的構造体のIII−III断面を示している。
【図４】組立て後における図１の光学的構造体のIII−III断面を示している。
【図５】図１の光学的構造体の一部の拡大水平断面を示している。
【図６】上述の光学的構造体内の２点における光波強度のダイヤグラムである。
【図７】上述の光学的構造体内の別の点における光波強度のダイヤグラである。
【図８】上述の光学的構造体内の点における光波の位相のダイヤグラムである。
【図９】上述の光学的構造体内の点における光波の位相のダイヤグラムである。
【図６】
2004522208.tif 000003
【図７】
2004522208.tif 000004
【図８】
2004522208.tif 000005
【図９】
2004522208.tif 000006
【国際公開パンフレット】
2004522208.tif 000007
2004522208.tif 000008
2004522208.tif 000009
2004522208.tif 000010
2004522208.tif 000011
2004522208.tif 000012
2004522208.tif 000013
2004522208.tif 000014
2004522208.tif 000015
2004522208.tif 000016
2004522208.tif 000017
2004522208.tif 000018
2004522208.tif 000019
2004522208.tif 000020
2004522208.tif 000021
2004522208.tif 000022
2004522208.tif 000023
2004522208.tif 000024
2004522208.tif 000025
2004522208.tif 000026
2004522208.tif 000027
2004522208.tif 000028
2004522208.tif 000029
【国際調査報告】
2004522208.tif 000030
2004522208.tif 000031
2004522208.tif 000032
2004522208.tif 000033
2004522208.tif 000034
2004522208.tif 000035